(57)【特許請求の範囲】
【請求項１】
蓄熱が可能な躯体を室内の天井側に有するコンクリート構造体の外側に設けられた断熱部材と、
前記躯体との間に空間を形成して天井面を構成するように設けられ、前記躯体側に熱媒体が流通するパイプを有する熱媒体式パネルと、外部から温度調節された空気を取り込むチャンバーを前記躯体側に有し、前記チャンバーに取り込んだ空気を前記空間側に排出する排出孔及び前記チャンバーに取り込んだ空気を前記室内側に排出する貫通孔とを有する空気式パネルとを備える複数の輻射パネルと、
前記熱媒体式パネルのパイプに温度が制御された熱媒体を供給して輻射によって前記躯体への蓄熱を行うとともに、前記空気式パネルから前記空間に前記空気を排出して前記躯体と熱交換を行って、前記室内の冷暖房を行う温度制御部と、
を備えた空気調和システム。
【請求項２】
前記空間は、前記空気式パネルの前記排出孔から排出され、前記躯体と熱交換した空気を前記室内へ循環させる空気流通経路である請求項１に記載の空気調和システム。
【請求項３】
前記温度制御部は、
前記パイプに少なくとも温度が制御された熱媒体を流通させる熱媒体制御部と、
前記チャンバーに少なくとも温度が制御された空気を供給する空気調節部とを備えた請求項１又は２に記載の空気調和システム。
【発明の詳細な説明】
【技術分野】
【０００１】
本発明は、空気調和システムに関する。
【背景技術】
【０００２】
従来の躯体蓄熱空調システムとして、例えば、夜間電力を利用して冷凍機を運転し、得られた冷水によって躯体に冷熱を蓄積し、この冷熱によって昼間の冷房を行うものがある。しかし、このシステムよると、夜間に冷凍機を運転するため、気象条件によっては、トータルの電力消費量が増大するおそれがあった。
【０００３】
これを防ぐために、上記システムにおいて、夜間外気温が低いときは、冷凍機の夜間運転を停止して、外気を取り込んで躯体に冷熱を蓄積することが提案されている（例えば、特許文献１参照）。
【先行技術文献】
【特許文献】
【０００４】
【特許文献１】特開２０００−３２０８６８号公報
【発明の概要】
【発明が解決しようとする課題】
【０００５】
しかし、従来の躯体蓄熱空調システムによると、気温の低い外気を取り込むようにしたとしても、コンクリート化した都会では、そのような条件下になることが少なく、また、夜間の外気温の低下が顕著ではないため、躯体に冷熱を蓄積しても簡単に外気へ放熱してしまうため、夜間の冷熱の躯体への蓄熱の効果を十分に奏することができなかった。
【０００６】
従って、本発明は、夜間に躯体に蓄積した冷熱を昼間に有効に利用できるようにした空
気調和システムを提供するものである。本発明は、また、夜間に躯体に蓄積した温熱を昼間に有効に利用できるようにした空気調和システムを提供するものである。
【課題を解決するための手段】
【０００７】
本発明の一態様の空気調和システムは、蓄熱が可能な躯体を室内の天井側に有するコンクリート構造体の外側に設けられた断熱部材と、前記躯体との間に空間を形成して天井面を構成するように設けられ、前記躯体側に熱媒体が流通するパイプを有する熱媒体式パネルと、外部から温度調節された空気を取り込むチャンバーを前記躯体側に有し、前記チャンバーに取り込んだ空気を前記空間側に排出する排出孔及び前記チャンバーに取り込んだ空気を前記室内側に排出する貫通孔とを有する空気式パネルとを備える複数の輻射パネルと、前記熱媒体式パネルのパイプに温度が制御された熱媒体を供給して輻射によって前記躯体への蓄熱を行うとともに、前記空気式パネルから前記空間に前記空気を排出して前記躯体と熱交換を行って、前記室内の冷暖房を行う温度制御部と、を備える。
【発明の効果】
【０００８】
本発明によれば、夜間に躯体に蓄積した冷熱を昼間に有効に利用できるようになり、夜間に躯体に蓄積した温熱を昼間に有効に利用できるようになる。
【図面の簡単な説明】
【０００９】
【図１】図１は、本発明の実施の形態に係る建築物の概略の構成を示す模式図である。
【図２】図２（ａ）は、室内に配置された空気調和システムを構成する空気調和ユニットの一例を示し、室内側から見た平面図、図２（ｂ）は、熱媒体式パネル及び空気式パネルの配列の変形例を示す平面図である。
【図３】図３は、ビルの室内の一例を示す断面図である。
【図４】図４は、熱媒体式パネル及びその周辺の構造を示し、（ａ）はスラブ側から見た平面図、（ｂ）は（ａ）のＦ−Ｆ線断面図、（ｃ）は室内側から見た要部平面図である。
【図５】図５は、空気式パネル及びその周辺の構造を示し、（ａ）はスラブ側から見た平面図、（ｂ）は（ａ）のＧ−Ｇ線断面図、（ｃ）は室内側から見た要部平面図である。
【図６】図６は、水及び空気配管を示す系統図である。
【発明を実施するための形態】
【００１０】
図１は、本発明の実施の形態に係る建築物の概略の構成を示す模式図である。              
【００１１】
この建築物１００は、例えば、オフィスビルであり、コンクリート構造体１１０と、コンクリート構造体１１０の外側に設けられた断熱部材１２０と、断熱性を有する窓１ｂとを備える。なお、建築物は、オフィスビルに限らず、戸建て住宅、集合住宅、工場、公共施設、高層建築物等でもよい。
【００１２】
コンクリート構造体１１０は、地盤１０１に設けられた基礎部１１１と、建築物１００の外壁を構成する壁部１１２と、各階を仕切るスラブ５とを備える。コンクリート構造体１１０は、コンクリートを主体として構成されており、内部に鉄筋や鉄骨等の補強構造が埋め込まれていてもよい。
【００１３】
断熱部材１２０の材料として、例えば、合成樹脂の発泡体、ロックウール、グラスウール、無機多孔質材等を用いることができる。断熱部材１２０を屋外側に設ける外断熱構造を採用することにより、断熱部材を屋内側に設ける内断熱構造と比べて断熱性能（暖房や冷房の効率）が向上し、壁の内部で結露が発生し難くなる等の利点があるとされている。
【００１４】
窓１ｂは、空間を介して一対のガラスを配置したペアガラス、断熱樹脂サッシ等を用いることができる。
【００１５】
各階の各室１には、輻射と対流による熱交換によって室内の温度を調節する複数の空気調和ユニット１１が天井側のスラブ（躯体）５との間に空気流通経路４０を形成するように天井側のスラブ５から吊設されている。
【００１６】
図２（ａ）は、室内に配置された空気調和ユニットの一例を示し、室内側から見た平面図、図２（ｂ）は、熱媒体式パネル及び空気式パネルの配列の変形例を示す平面図である。
【００１７】
この空気調和システム１０は、例えば、図２（ａ）に示すように、ビルの室１の天井面を構成するように天井側のスラブから島状に吊設され、輻射と対流による熱交換によって室内の温度を調節する複数の空気調和ユニット１１を有する。
【００１８】
（室の構成例）
室１は、例えば、上下（紙面に対して垂直）方向へ延びる複数の柱部１ａを有し、屋外９に面してガラスからなる窓１ｂが配置されている。柱部１ａは、本実施の形態では、縦方向及び横方向に等間隔に並べられ、全体として正方格子状に配置されている。各柱部１ａは、縦及び横方向へ延びる梁部１ｃにより連結されている。柱部１ａ及び梁部１ｃは、主材料としてコンクリートを含み、断面矩形状に形成されている。
【００１９】
（空気調和ユニットの構成例）
空気調和ユニット１１は、柱部１ａ及び梁部１ｃによって仕切られた室１の正方形の窓側の領域Ｅａ，Ｅａ’、内側の領域Ｅｂ，Ｅｂ’毎に、熱媒体式パネル２０と空気式パネル３０を組み合わせて構成されて島状に吊設される。熱媒体式パネル２０と空気式パネル３０は、平面視において長方形状に形成され、室内側の表面形状が同一で、同一面積であり、互いに入れ替え可能となっている。空気調和ユニット１１は、各領域Ｅａ，Ｅａ’、Ｅｂ，Ｅｂ’毎に、熱媒体式パネル２０又は空気式パネル３０を、横方向に２列、縦方向に８列並べることにより構成されている。
【００２０】
空気調和ユニット１１は、窓側の領域Ｅａ、Ｅａ’と内側の領域Ｅｂ、Ｅｂ’とで異なる構成とされ、窓側に配置される空気調和ユニット１１の方が空気式パネル３０の数が多くなっている。これは、窓側の領域Ｅａ、Ｅａ’の方が内側の領域Ｅｂ、Ｅｂ’よりも通常高い冷暖房能力が要求されるので、本実施の形態においては、空気式パネル３０が熱媒体式パネル２０より冷暖房能力が高いことによる。
【００２１】
なお、熱媒体式パネル２０及び空気式パネル３０は、図２（ｂ）に示すように、横方向に４列並べ、離間部を設けて横方向に４列並べ、縦方向に２列並べてもよい。離間部を設けることにより、離間部のパネル２０、３０よりも高い位置にＬＥＤ照明等の室内照明灯２を配置することができる。また、熱媒体式パネル２０及び空気式パネル３０は、平面視において正方形状や、三角形状、一部に傾斜した辺を有するものでもよい。三角形状や一部に傾斜した辺を有する熱媒体式パネル２０及び空気式パネル３０を用いることにより、床が矩形でない部屋の天井に熱媒体式パネル２０及び空気式パネル３０を吊設することができる。また、空気調和ユニット１１は、領域Ｅａ、Ｅａ’、Ｅｂ、Ｅｂ’のいずれかを熱媒体式パネル２０又は空気式パネル３０のみで構成してもよい。各領域Ｅａ、Ｅａ’、Ｅｂ、Ｅｂ’を構成するパネル２０、３０の枚数は、１６枚に限られない。
【００２２】
図３は、ビルの室内を示す断面図である。空気調和ユニット１１は、輻射熱を蓄熱可能な蓄熱体の一例のスラブ５との間に空気流通経路４０を確保するように取付構造４によってスラブ５に吊設されている。図３に示すように、窓側の領域Ｅａ、Ｅａ’では、熱媒体式パネル２０が窓側に連続的に配置され、空気式パネル３０が窓１ｂと反対側に連続的に配置される。空気調和システム１０は、空気流通経路４０においてスラブ５と熱交換された空気を室内へ循環させるファン等の循環手段６を備える。また、他の循環手段６として、換気のための給排気手段を利用することもできる。
【００２３】
熱媒体式パネル２０の裏面側（スラブ５側）には、熱媒体の一例の水（冷水、温水を含む）が流通するパイプ２１が配置されている。パイプ２１へは、後述する熱媒体制御部５０によって温度、圧力、流量等が制御された熱媒体の水が流通する。熱媒体式パネル２０には、吸音機能を有するとともに、空気が通気可能な貫通孔の一例の吸音孔２０ａが形成されている。熱媒体式パネル２０及びパイプ２１は、第１の天井パネルを構成する。
【００２４】
空気式パネル３０の裏面側（スラブ５側）には、空気取入口３１０ｇが形成されたチャンバー３１が配置されている。チャンバー３１へは、後述する空気調節部６０によって温度と湿度等が制御された空気が供給される。空気式パネル３０には、チャンバー３１に供給された空気を室内側に排出するとともに、吸音機能を有する貫通孔の一例の通気孔３０ａが形成されている。
【００２５】
取付構造４は、スラブ５に取り付けられる取付部材と、熱媒体式パネル２０、空気式パネル３０及びチャンバー３１が取り付けられる枠体と、取付部材と枠体とを接続する接続部材とを備える。
【００２６】
図３中矢印Ａで示すように、循環手段により空気流通経路４０を空気が流れるようになっている。また、窓１ｂ側で温められた空気が上昇して矢印Ａで示すように空気流通経路４０を流れる。この空気が空気流通経路４０で熱交換され、図３中矢印Ｆで示すように室内側に排出され、空気が室内を循環するようになっている。また、チャンバー３１から空気が空気式パネル３０の通気孔３０ａを通して矢印Ｅ方向へ排出される。
【００２７】
（熱媒体式パネル及びその周辺の構造）
図４は、熱媒体式パネル及びその周辺の構造を示し、（ａ）はスラブ側から見た平面図、（ｂ）は（ａ）のＦ−Ｆ線断面図、（ｃ）は室内側から見た要部平面図である。
【００２８】
空気調和ユニット１１は、熱媒体式パネル２０と、熱媒体式パネル２０の裏面に設けられ、熱媒体が流通して熱媒体式パネル２０と熱交換を行うパイプ２１と、パイプ２１を固定する保持部材２２と、熱媒体式パネル２０の裏面に接着された遮光用シート２５とを備える。熱媒体式パネル２０、パイプ２１、保持部材２２及び遮光用シート２２は、第１の天井パネルを構成する。
【００２９】
熱媒体式パネル２０は、パネル本体２００と、パネル本体２００に対して上方に直角に折り曲げられた２つの側壁２０１、２０２と、パネル本体２００に対して上方の斜め内側方向に折り曲げられた２つの傾斜壁２０３、２０４とを有する。２つの側壁２０１、２０２と、一方の傾斜壁２０４の開口部側端部には、パネル本体２００に平行な平行部２０５、２０６、２０７が設けられている。他方の傾斜壁２０３の開口部側端部には、Ｌ字状に折り曲げられ、平行部２０８ａと垂直部２０８ｂからなるＬ字状部２０８が設けられている。側壁２０１の平行部２０５と、傾斜壁２０３の平行部２０８ａには、熱媒体式パネル２０をスラブ５側からワイヤー等で吊り下げるための吊り孔２０９が形成されている。なお、図３に示す熱媒体式パネル２０は、図１に示す窓側の領域Ｅａの島を構成する空気調和ユニット１１の角に配置された熱媒体式パネル２０’に対応する。熱媒体式パネル２０は、島の周囲に傾斜壁が位置するように側面が傾斜壁と側壁で構成されている。
【００３０】
熱媒体式パネル２０は、アルミニウム板、アルミニウム合金板、鋼板等の厚さ０．５〜２ｍｍ程度の金属板から形成されている。熱媒体式パネル２０は、上方（スラブ側）が開口された箱型状を有し、例えば、幅は４００〜６００ｍｍ、長さは２１００〜２３００ｍｍ、高さは３０〜５０ｍｍ程度である。
【００３１】
熱媒体式パネル２０は、パネル本体２００に直径０．５〜１ｍｍ程度の円形の複数の吸音孔２０ａが形成されている。吸音孔２０ａは、ピッチＰｘ＝Ｐｙ＝４〜６ｍｍで形成され、格子状に配列されている。本実施の形態では、直径０．７ｍｍの吸音孔２０ａをピッチ５ｍｍで格子状に配列している。なお、吸音孔２０ａは、千鳥状等の他の態様により配置されてもよい。吸音孔２０ａは、直径０．５〜３ｍｍ程度であれば、吸音効果を発揮するが、本実施の形態では、２ｍ以上離れて天井を見たときに吸音孔２０ａが孔として視認され難くするために１ｍｍ以下としている。吸音孔２０ａは、円形に限られず、矩形状や三角形、長円、楕円等の他の形状でもよい。吸音孔２０ａの数及び直径は、例えば開口率０．８〜３％となるように定められる。なお、発明者によるJIS A 1409に定められた残響室法吸音率測定によると、吸音孔の直径２．５ｍｍ、開口率１６％の金属製の天井パネルに対し、吸音孔の直径０．７ｍｍ、開口率１．６％としても吸音率は、５１％から４１％へ若干の低下にとどまることが実証できている。
【００３２】
保持部材２２は、パネル本体２００の裏面と密着する板状部２３と、板状部２３の上側に設けられ、パイプ２１を保持する断面半円状の湾曲部２４とを有する。保持部材２２は、金属から形成されている。パイプ２１は、可撓性を有し、湾曲部２４の開口２４ａに弾性変形させつつ嵌め込むことにより、湾曲部２４に密着して固定される。
【００３３】
パイプ２１には、温度、圧力、流量等が制御された熱媒体が流通する。本実施の形態においては、パイプ２１に流通する熱媒体は水である。パイプ２１は、例えば３層構造のガスバリア性（酸素不透過）を有するチューブである。このチューブは、ポリウレタンからなる第１層、エチレン−ビニルアルコール共重合体（ＥＶＯＨ）からなる第２層、ポリウレタンからなる第３層を、内側からこの順に有している。ＥＶＯＨは、ガスバリア性が高く、パイプ２１中の流体に空気中の酸素が溶け込むことを防ぐ。これにより、後述する熱媒体式モジュールにおける錆の発生を防止している。パイプ２１は、隣接する熱媒体式パネル２０に設けられた他のパイプ２１や、後述する熱媒体制御部５０に接続された冷水フィードライン５１、冷水リターンライン５２、温水フィードライン５３及び温水リターンライン５４にジョイントによって接続される。
【００３４】
遮光用シート２５は、熱媒体式パネル２０よりもスラブ５側に照明が設けられている場合に、その照明が吸音孔２０ａを通して見えないようにするため、遮光性、吸音性及び通気性を有するものが好ましい。遮光用シート２５は、例えば、不織布、フェルト、合成繊維等を用いることができる。
【００３５】
（空気式パネル及びその周辺の構造）
図５は、空気式パネル及びその周辺の構造を示し、（ａ）はスラブ側から見た平面図、（ｂ）は（ａ）のＧ−Ｇ線断面図、（ｃ）は室内側から見た要部平面図である。
【００３６】
空気調和ユニット１１は、空気式パネル３０と、空気式パネル３０の裏面側に配置されるチャンバー３１と、空気式パネル３０の裏面に接着され、遮光用シート２５と同一の材質から形成された遮光用シート３２とを備える。空気式パネル３０、チャンバー３１及び遮光用シート３２は、第２の天井パネルを構成する。
【００３７】
空気式パネル３０は、熱媒体式パネル２０と同様に、パネル本体３００、側壁３０１、３０２と、傾斜壁３０３、３０４、平行部３０５、３０６、３０７、平行部３０８ａと垂直部３０８ｂからなるＬ字状部３０８を有する。側壁３０１の平行部３０５と、傾斜壁３０３の平行部３０８ａには、空気式パネル３０をスラブ５側からワイヤー等で吊り下げるための吊り孔３０９が形成されている。なお、図５に示す空気式パネル３０は、図２に示す窓側の領域Ｅａの島を構成する空気調和ユニット１１の角に配置された空気式パネル３０’に対応する。空気式パネル３０は、島の周囲に傾斜壁が位置するように側面が傾斜壁と側壁で構成されている。
【００３８】
空気式パネル３０は、熱媒体式パネル２０と同一の金属板から形成されている。空気式パネル３０は、上方（スラブ側）が開口された箱型状を有し、例えば、幅は４００〜６００ｍｍ、長さは２１００〜２３００ｍｍ、高さは３０〜５０ｍｍ程度である。
【００３９】
空気式パネル３０は、熱媒体式パネル２０と同様に、パネル本体３００に直径０．５〜１ｍｍ程度の円形の複数の通気孔３０ａが形成されている。通気孔３０ａは、ピッチＰｘ＝Ｐｙ＝４〜６ｍｍで形成され、格子状に配列されている。本実施の形態では、直径０．７ｍｍの通気孔３０ａをピッチ５ｍｍで格子状に配列している。なお、通気孔３０ａは、千鳥状等の他の態様により配置されていてもよい。通気孔３０ａは、直径０．５〜３ｍｍ程度であれば、吸音効果を発揮するが、本実施の形態では、２ｍ以上離れて天井を見たときに通気孔３０ａが視認され難くするために１ｍｍ以下としている。通気孔３０ａは、円形に限られず、矩形状や三角形、長円、楕円等の他の形状でもよい。通気孔３０ａの数及び直径は、例えば開口率０．８〜３％となるように定められる。
【００４０】
（チャンバー）
チャンバー３１は、分離可能な上部チャンバー３１０、下部チャンバー３１１及びパッキン３１２から構成されている。チャンバー３１は、上部チャンバー３１０と下部チャンバー３１１から構成することで、通気孔３０ａから均一に空調空気を吹き出すことができ、かつ、分離可能な構造とすることで、チャンバー３１をコンパクトにできる。加えて、上部チャンバー３１０を一方に寄せた配置とすれば、上部チャンバー３１０を島の周辺から離すことができ、上部チャンバー３１０が室内側から視認されなくなる。
【００４１】
上部チャンバー３１０は、下方が開口された箱型形状を有し、上壁３１０ａと、側壁３１０ｂ、３１０ｂ'、３１０ｃ、３１０ｄと、座部３１０ｅとから構成されている。上部チャンバー３１０は、上壁３１０ａにスラブ側排出孔３１０ｆが形成され、側壁３１０ｄに空気取入口３１０ｇが形成され、座部３１０ｅに取付孔３１０ｈが形成されている。座部３１０ｅに形成した取付孔３１０ｈを通して上部チャンバー３１０をパッキン３１２を間に介在させて下部チャンバー３１１にボルト３１４で固定できるように構成されている。なお、３つのスラブ側排出孔３１０ｆは、ゴム蓋によって閉塞可能となっている。
【００４２】
下部チャンバー３１１は、下方が開口された箱型形状を有し、上壁３１１ａと、側壁３１１ｂ、３１１ｂ’、３１１ｃ、３１１ｄとから構成されている。上壁３１１ａには、室内側排出孔３１１ｅが形成されている。
【００４３】
温度と湿度が調節された空気が空気取入口３１０ｇから空気取入れ方向１５に供給されると、その空気は、図５（ｂ）に示すように、一部はスラブ側排出孔３１０ｆを介して空気流通経路４０に排出され、他は室内側排出孔３１１ｅを通り下部チャンバー３１１で分散して均一に通気孔３０ａを介して室内側に排出される。
【００４４】
（水及び空気の配管）
図６は、空気調和システム１０の水及び空気の配管を示す模式図である。図６に示すように、建物内には、熱媒体（本実施の形態においては水）の温度、圧力、流量等を制御する熱媒体制御部５０が設けられ、この熱媒体制御部５０に、温度調節された冷水が流通する冷水フィードライン５１と、熱媒体式パネル２０で熱交換された冷水が流通する冷水リターンライン５２と、温度調節された温水が流通する温水フィードライン５３と、熱媒体式パネル２０で熱交換された温水が流通する温水リターンライン５４と、が接続される。すなわち、輻射熱により室内の温度調節を行う熱媒体式モジュール１２は、熱媒体が流通するパイプ２１が設けられる熱媒体式パネル２０と、当該熱媒体の温度を制御する熱媒体制御部５０と、を有している。本実施の形態においては、窓側の領域Ｅａ、Ｅａ’の熱媒体式パネル２０では、冷房と暖房の両方の運転ができ、内側の領域Ｅｂ、Ｅｂ’の熱媒体式パネル２０では、冷房の運転のみができるようになっている。
【００４５】
本実施の形態においては、各空気調和ユニット１１ごとに冷水又は温水が一括して供給されるように構成され、各空気調和ユニット１１に対応した図２の領域Ｅａ、Ｅａ’、Ｅｂ、Ｅｂ’ごとに室温の調節が行われる。窓側の領域Ｅａ、Ｅａ’については冷水又は温水が流通する窓側フィードライン５５及び窓側リターンライン５６が設けられ、内側の領域Ｅｂ、Ｅｂ’については冷水が流通する内側フィードライン５７及び内側リターンライン５８が設けられている。
【００４６】
窓側フィードライン５５は、冷水フィードライン５１からの冷水の流入量を調整するフィード側冷水調整弁５５ａと、温水フィードライン５３からの温水の流入量を調整するフィード側温水調整弁５５ｂと、を有している。図６に示すように、窓側フィードライン５５は、冷水フィードライン５１及び温水フィードライン５３の側で二股に分かれて形成されている。
【００４７】
また、窓側リターンライン５６は、冷水リターンライン５２への冷水の流入量を調整するリターン側冷水調整弁５６ａと、温水リターンライン５４への温水の流入量を調整するリターン側温水調整弁５６ｂと、を有している。図６に示すように、窓側リターンライン５６は、冷水リターンライン５２及び温水リターンライン５４の側で二股に分かれて形成されている。温水フィードライン５３は、例えば、冬期に比較的寒い窓側を暖房するために利用される。
【００４８】
また、図６に示すように、建物内には、空気の温度と湿度を制御する空気調節部６０が設けられ、この空気調節部６０に、温度及び湿度が調節された空気が流通する空調フィードライン６１が接続される。空調フィードライン６１は、分岐ライン６１ａを介して各空気式パネル３０のチャンバー３１に接続されており、各空気式パネル３０のチャンバー３１へ調節された空気が直接供給される。すなわち、空気により室内の温度及び湿度の調節を行う空気式モジュール１３は、空気式パネル３０と、空気式パネル３０の裏面側に流入する空気の温度及び湿度を調節する空気調節部６０と、を有している。本実施の形態においては、空気調節部６０が、空気流通経路４０でスラブ５と熱交換された空気を室内へ循環させる循環手段をなしている。
【００４９】
熱媒体制御部５０及び空気調節部６０は、建築物１００に対して各々１つ有していても良いし、各階毎に各々１つ有していても良い。
【００５０】
（空気調和システムの冷暖房機能）
次に、図３を参考に、本実施の形態の空気調和システム１０における冷暖機能を説明する。
【００５１】
冷暖房時の第１機能は、熱媒体式パネル２０による輻射と対流によって吸放熱することにより、室内を冷暖房する機能である。図３は冷房状態を示しており、室内の人や家電製品等から熱媒体式パネル２０への輻射（図３の矢印Ｃ）と、熱媒体式パネル２０の近くで発生する対流（図３の矢印Ｂ）によって室内から吸熱している状態を示している。
【００５２】
冷暖房時の第２機能は、例えば冷房の場合、図３中の矢印Ｄで示すように、熱媒体式パネル２０に対して、輻射によってスラブ５より熱を吸収して冷却する、いわゆる冷熱の蓄熱を行い、スラブ５の蓄熱を利用して、室内を冷房する機能である。具体的には、スラブ５の下側の空気流通経路４０を流通する空気とスラブ５との間で熱交換を行い、この空気を室内に循環させることで冷房が実現される。また、スラブ５に対し、熱媒体式パネル２０からの輻射によって吸熱も行われる。室１の熱負荷の少ない夜間に、スラブ５に蓄熱しておき、室１の熱負荷が大きくなる昼間に、蓄熱を利用すると効果的である。当然、スラブ５に温熱の蓄熱を行って、室内を暖房することも可能である。
【００５３】
冷暖房時の第３機能は、図３中の矢印Ｆで示すように、空気式パネル３０の裏面側の空気流通経路４０に予め温度及び湿度が調節された空気を導入し、これを室内側に流通させることにより、室内を冷暖房する機能である。空気式パネル３０の裏面側に導入される空気は、スラブ５と熱交換する。
【００５４】
冷暖房時の第４機能は、予め温度及び湿度が調節された空気をチャンバー３１に導入し、その空気を空気式パネル３０の通気孔３０ａを通じて排出することにより、図３中の矢印Ｅで示すように、微弱な空気の流れを生じさせ、これにより室内の温度を調節する機能である。対流を積極的に利用するものとは異なり、居住者には空気が流れていることは殆ど認識されない。
【００５５】
冷暖房時の第５機能は、空気式パネル３０から発せられる輻射熱により、室内を冷暖房する機能である。空気式パネル３０の裏側には、温度及び湿度が調節された空気が流入することから、当該空気により空気式パネル３０の温度が制御された状態となっている。
【００５６】
空気調和システム１０は、主として、以上の５つの機能を利用することにより、室内の温度を調節する。
【００５７】
（本実施の形態の効果）
本実施の形態に係る建築物１００によれば、スラブとの間の熱交換された冷熱あるいは温熱を輻射熱として利用しているので、スラブに蓄積した冷熱あるいは温熱の有効利用をより一層図ることができる。
【００５８】
なお、本発明は上記実施の形態に限定されるものではなく、その要旨を変更しない範囲で種々に変形が可能である。例えば、上記実施の形態では、天井側のスラブを躯体としたが、蓄熱が可能な躯体であれば、天井側の躯体はスラブに限定されるものではない。
【００５９】
また、上記実施の形態では、熱媒体式パネル及び空気式パネルを金属から形成したが、石膏、木材等の他の材料から形成してもよく、金属と他の材料とを重ね合わせた複合材料から形成してもよい。
【符号の説明】
【００６０】
１…室、１ａ…柱部、１ｂ…窓、１ｃ…梁部、２…室内照明灯、４…取付構造、５…スラブ、６…循環手段、９…屋外、１０…空気調和システム、１１…空気調和ユニット、１２…熱媒体式モジュール、１３…空気式モジュール、１５…空気取入れ方向、２０、２０'…熱媒体式パネル、２０ａ…吸音孔、２１…パイプ、２２…保持部材、２３…板状部、２４…湾曲部、２４ａ…開口、２５…遮光用シート、３０、３０'…空気式パネル、３０ａ…通気孔、３１…チャンバー、３２…遮光用シート、４０…空気流通経路、５０…熱媒体制御部、５１…冷水フィードライン、５２…冷水リターンライン、５３…温水フィードライン、５４…温水リターンライン、５５…窓側フィードライン、５５ａ…フィード側冷水調整弁、５５ｂ…フィード側温水調整弁、５６…窓側リターンライン、５６ａ…リターン側冷水調整弁、５６ｂ…リターン側温水調整弁、５７…内側フィードライン、５８…内側リターンライン、６０…空気調節部、６１…空調フィードライン、６１ａ…分岐ライン、１００…建築物、１０１…地盤、１１０…コンクリート構造体、１１１…基礎部、１１２…壁部、１２０…断熱部材、２００…パネル本体、２０１、２０２…側壁、２０３、２０４…傾斜壁、２０５〜２０７…平行部、２０８…Ｌ字状部、２０８ａ…平行部、２０８ｂ…垂直部、２０９…吊り孔、３００…パネル本体、３０１、３０２…側壁、３０３、３０４…傾斜壁、３０５〜３０７…平行部、３０８…Ｌ字状部、３０８ａ…平行部、３０８ｂ…垂直部、３０９…吊り孔、３１０…上部チャンバー、３１０ａ…上壁、３１０ｂ、３１０ｂ'、３１０ｃ、３１０ｄ…側壁、３１０ｅ…座部、３１０ｆ…スラブ側排出孔、３１０ｇ…空気取入口、３１０ｈ…取付孔、３１１…下部チャンバー、３１１ａ…上壁、３１１ｂ、３１１ｂ’、３１１ｃ、３１１ｄ…側壁、３１１ｅ…室内側排出孔、３１２…パッキン、３１４…ボルト、Ｅａ，Ｅａ'…窓側の領域、Ｅｂ，Ｅｂ'…内側の領域
【図１】
0005633787.tif 000002
【図２】
0005633787.tif 000003
【図３】
0005633787.tif 000004
【図４】
0005633787.tif 000005
【図５】
0005633787.tif 000006
【図６】
0005633787.tif 000007